(57)【要約】      （修正有）【課題】カメラハウジングのフレームに配置された複合窓と、ハウジング内に配置されたカメラヘッドとを有する監視カメラを提供する。【解決手段】複合窓１００は、カメラヘッドに最も近い内側の透明板１１０と、その外側にあり、透明板に平行な平面に配置された保護窓１１２とを有している。複合窓はさらに、透明板の周辺領域に熱エネルギーを供給するように配置及び構成された加熱装置１０８も備えている。透明板は、保護窓よりも熱伝導率が高く、保護窓に近接して配置されているため、熱エネルギーは加熱装置から透明板に伝達され、次いで保護窓に効率的に伝達される。【選択図】図１
2020167672.tif 000002
【特許請求の範囲】
【請求項１】
カメラハウジングのフレームに配置された複合窓と、前記ハウジング内に配置されたカメラヘッドとを有する監視カメラであって、前記複合窓が、前記カメラヘッドに最も近い内側の透明板と、その外側にある、前記透明板に平行な平面に配置された外側保護窓とを有しており、前記複合窓が、前記透明板の周辺領域に熱エネルギーを供給するように配置及び構成された加熱装置をさらに備えており、前記透明板が前記保護窓より高い熱伝導率を有し、かつ、前記保護窓に近接して配置されており、それにより、該加熱装置から前記透明板に伝達された熱エネルギーを前記保護窓に効率的に伝達することができる、監視カメラ。
【請求項２】
前記透明板が弾性プロファイルに配置され、該弾性プロファイルが前記フレームに配置されており、前記弾性プロファイルの弾性は、それが前記フレームに対して移動できるようにし、したがって前記透明板に同じ機能を提供する、請求項１に記載の監視カメラ。
【請求項３】
前記保護窓もまた、前記弾性プロファイル内又は前記弾性プロファイル上に配置され、それにより、前記保護窓の変形が前記弾性プロファイル上の付勢力に変換される、請求項２に記載の監視カメラ。
【請求項４】
前記弾性プロファイルが、前記透明板と前記フレームとの間に位置する構造的安定性の低下した領域を有しており、それにより、前記フレームと前記弾性プロファイルとの間の相対運動を生じさせる変形がこの領域に集中し、前記透明板を、破損することなく、前記カメラヘッドの方向に前記フレームに向かって下向きに押し付けることを可能にする、請求項２又は３に記載の監視カメラ。
【請求項５】
前記加熱装置が、好ましくは前記保護窓に対してその遠い側にある、前記弾性プロファイルの凹部に配置されている、請求項２から４のいずれか一項に記載の監視カメラ。
【請求項６】
ガスケットが前記保護窓上に配置され、カバープレートによって適所に保持される、請求項１から５のいずれか一項に記載の監視カメラ。
【請求項７】
前記ガスケットが前記フレームに配置され、それにより、前記カバープレートの適用による前記ガスケットの圧縮が前記ガスケットを前記フレームに向かって半径方向外側に拡張し、それによりシールを達成する、請求項６に記載の監視カメラ。
【請求項８】
前記フレームが、前記カメラハウジングの一部、好ましくは前記カメラハウジングのカバー部分によって形成される、請求項１から７のいずれか一項に記載の監視カメラ。
【請求項９】
前記保護窓がポリカーボネート樹脂で作られている、請求項１から８のいずれか一項に記載の監視カメラ。
【請求項１０】
前記透明板が合成サファイアでできている、請求項１から９のいずれか一項に記載の監視カメラ。
【請求項１１】
前記加熱装置が、前記監視カメラの電源から給電されるフレキシブルプリント回路又はゴム製加熱バンドである、請求項１から１０のいずれか一項に記載の監視カメラ。
【請求項１２】
前記弾性プロファイルが弾性材料から一体的に形成されるか、あるいは、所望の弾性が弾性材料又はばねなどの弾性パーツによって提供される一方、前記透明板を配置するパーツが低弾性材料でできている、複数のパーツから形成される、請求項１から１１のいずれか一項と組み合わせた請求項２に記載の監視カメラ。
【発明の詳細な説明】
【技術分野】
【０００１】
本発明は、窓組立体に関し、特に、カメラの屋外ハウジング用の耐衝撃性の窓組立体に関する。
【背景技術】
【０００２】
監視カメラは、商業用並びに個人用の設置にますます人気が高まっている。最も簡単な用途では、監視カメラの目的は、それが画像化するシーン内で発生する事象を識別し、通常とは異なる何かが発生した場合に、アルゴリズム又はオペレーターが推定できるようにすることである。この推定は、監視カメラからのライブストリームでリアルタイムに実行することができ、あるいは、被記録材に基づいて推定することもできる。別の用途は、公共交通機関の車両などの車両の上及び車両内に監視カメラを配置することでありうる。このような用途では、監視カメラは、オペレーターが車両内及びその周辺の状況を理解するのに役立てることができ、何らかの不幸な事象が発生した場合には、記録された映像資料を使用して、実際に何が起こったかを明確にすることができる。
【０００３】
用途に関係なく、監視カメラで取得した素材の使いやすさの前提条件は、カメラの視野が遮られないことであり、屋外環境に配置されたカメラでは、これは考慮すべき問題である。粉塵などの大気汚染は、時間の経過とともに徐々に視界を妨げることがありうるが、通常の状況を所与とすれば、これらの原因の影響は、適切なサービス間隔を確保することによって対処することができる。個別のスプレーでカメラを塗装する場合などの破壊行為もまた、視野の急速な悪化を生じさせ、このような活動が発生した場合、カメラシステムはオペレーターに警告して問題を修復できるようにする。破壊行為は説明が難しいかもしれないが、監視カメラ、又は監視カメラを収容するハウジングは、衝撃という形の少なくともある程度の破壊行為に耐えるための構造的保護を備えることができる。より頻繁に遮断が繰り返される理由は天候である。冷温では、雪及び氷によって、監視カメラの視野を遮る物質が急速に蓄積される場合がある。
【０００４】
本発明は、苛酷で寒い環境に配置されたカメラに使用することができ、激しい衝撃を被る可能性がある、改善されたカメラ窓組立体を提供することを目的とする。
【発明の概要】
【０００５】
第１の態様によれば、本発明は監視カメラにおいて具現化される。該カメラは、カメラハウジングのフレームに配置された複合窓と、ハウジング内に配置されたカメラヘッドとを有しており、その複合窓は、カメラヘッドに最も近い内側の透明板と、その外側にある、透明板に平行な平面に配置された外側保護窓とを有しており、複合窓はさらに、透明板の周辺領域に熱エネルギーを供給するように配置及び構成された加熱装置を備えており、透明板は、保護窓よりも熱伝導率が高く、保護窓に近接して配置されており、それにより、加熱装置から透明板に伝達された熱エネルギーが保護窓に効率的に伝達されうる。透明板の高い熱伝導率は、周縁に沿って印加された熱が板全体に分散され、その後、保護窓に伝達されることを確実にする。
【０００６】
１つ以上の実施形態では、透明板は、弾性プロファイルに配置され、これが次にフレームに配置され、また、弾性プロファイルの弾性は、それがフレームに対して移動できるようにし、それにより透明板に同じ機能を提供する。
【０００７】
保護窓もまた、弾性プロファイル内又はその上に配置することができ、それにより、保護窓の変形が弾性プロファイル上の付勢力に変換される。保護窓と透明板との間の緩衝材として弾性プロファイルを使用することは、２つの構成要素間で力をさらに分散させるのに役立てることができ、その結果、透明板にはまったく到達させることなく、保護窓から弾性プロファイルに力を直接伝達することができる。
【０００８】
さらに他の実施形態では、弾性プロファイルは、透明板とフレームとの間に位置する構造的安定性の低下した領域を有することができ、それにより、フレームと弾性プロファイルとの間の相対運動を生じさせる変形がこの領域に集中し、透明板を、破損することなく、カメラヘッドの方向にフレームに向かって下向きに押し付けることができるようにする。当然ながら、弾性プロファイルは、単に、それを弾性にする材料の固有の特性によって緩衝効果を提供することができるが、その幾何学的設計によって効果をさらに高めることもできる。幾つかの例が詳細な説明に与えられるが、それでもなお、当然ながら所望の特性を得るための他の多くの方法が存在する。特に、その効果は、透明板に伝達されうる前に、保護窓から力を吸収するという意味では緩衝されない。むしろ、それは透明板を遠ざけることができるようにすることによって、伝達される衝撃を低減する。
【０００９】
１つ以上の実施形態では、加熱装置は、好ましくは保護窓に対してその遠い側にある、弾性プロファイルの凹部に配置されうる。凹部は加熱装置をしっかりと位置付け、弾性プロファイルの弾性は、加熱装置と透明板との間の良好な熱接触の達成を支援することができ、これは詳細な説明で参照される図を観察することによって容易に理解される。さらには、凹部の開放端が透明板に面することを確実にすることにより、熱エネルギーを効率的に使用することができるように透明板の方に熱エネルギーを導くことを支援する。
【００１０】
弾性プロファイルは、複合窓の構成要素間にシールを提供し、それによって、取り巻く環境から監視カメラを保護するように設計することができる。さらには、より良好なシールを得るために、ガスケットが保護窓上に配置され、カバープレートによって適所に保持されてもよい。カバープレートをフレームの方に、又は別の構造部品で締めることにより、ガスケットが圧縮され、シールを提供する。関連する実施形態では、ガスケットはフレームに配置され、それにより、カバープレートの適用によるガスケットの圧縮が、ガスケットをフレームの方に半径方向外側に拡張し、それにより複数の方向にシールを達成する。この実施形態は、図１及び対応する説明を観察したときに容易に理解される。
【００１１】
１つ以上の実施形態では、フレームは、カメラハウジングの一部、好ましくはカメラハウジングのカバー部分によって形成することができる。これは、個別の構成要素を提供する必要なく、フレームの機能を提供する便利な方法である。
【００１２】
保護窓は、ポリカーボネート樹脂、又は光学用途に適している、耐衝撃性の高い別の材料で作られている。次に、透明板は、優れた光学特性と、同様の光学品質を有する多くの他の材料よりも大きい熱伝導率とを有する合成サファイアでできている。さらには、他の材料も透明板に使用することができる。
【００１３】
加熱装置に目を向けると、それは、監視カメラの電源から給電されるフレキシブルプリント回路又はゴム製加熱バンドによって具現化することができる。両例とも、所望の加熱効果を提供するための堅牢かつ簡単な代替手段を提供する。
【００１４】
弾性プロファイルは、いずれの実施形態においても、弾性材料から一体的に形成することができ、あるいは、所望の弾性が弾性材料又はばねなどの弾性パーツによって提供されル一方、透明板を配置するパーツは低弾性材料でできている、複数のパーツで形成することができる。弾性プロファイルを提供する目的で使用することができる幾つかの合成ゴム材料又はエラストマーが存在するが、正確な特性は、複合窓の他の構成要素、及び耐衝撃性に関する監視カメラの所望の性能に依存しうる。説明される実施形態では、弾性プロファイルはシリコーンゴムでできていてもよい。
【図面の簡単な説明】
【００１５】
【図１】本発明の第１の実施形態に使用することができる複合窓の概略的な断面図
【図２】図１の窓組立体の概略的な平面図
【図３】本発明の一実施形態による監視カメラの断面図
【図４】図３の監視カメラの斜視図
【発明を実施するための形態】
【００１６】
図１は、本発明の第１の実施形態による複合窓１００の概略的な断面図である。複合窓１００の構成要素は、提案された設計ではなく、機能を明確にする目的で表されている。図３では、本発明のさらなる実施形態の複合窓を備えた実際のカメラ組立体の断面図が示されており、実際の用途のより詳細な表現を提供している。
【００１７】
図１の複合窓１００は、撮像用の光を通過させることができる中央開口部１０４を画成するフレーム１０２を有している。フレーム１０２は、別個に画成された構成要素として示されているが、監視カメラでは、フレーム１０２は、保護ハウジングの一体的なパーツを形成してもよい。
【００１８】
弾性プロファイル１０６はフレーム内にある。弾性プロファイルは、ゴム又は任意の適切なポリマー材料でできていてよい。他の実施形態では、弾性プロファイルは２つの部品から形成され、弾性はコイルばねなどのばねによって提供される。説明から明らかなように、本実施形態の弾性プロファイルは、複数の目的に役立つ。他の実施形態では、それぞれ又は幾つかの目的は、複合構造の別個の構成要素又は部分によって提供することができ、本弾性プロファイルの説明を所与とすれば、このような構造は当業者によって容易に生成される。いずれの実施形態でも、弾性プロファイルは、透明板とフレームとの間に構造的安定性の低下した領域１０７（例えば、図１のプロファイルと接触する「脚」）を有することができる。これは、結果的に、残りの弾性プロファイルは基本的に変更されずに維持されるが、透明板又は保護窓などの他の構成要素が取り付けられる領域で構造的完全性を有しつつ、弾性特性を提供することができることを意味する。図示されていないが、他の実施形態では、弾性プロファイルは、中央開口部１０４に最も近い半径方向内側の脚を具備せずに形成することができ、それにより、透明板がさらに容易に変形する解決策を提供する。
【００１９】
加熱装置１０８は弾性プロファイル１０６の凹部１０９に位置づけられ、透明板１１０は、加熱装置１０８の上に配置され、弾性プロファイル１０６のフランジ／凹部１１１によって適所に保持される。透明板は、複合窓が配置されているカメラのイメージセンサに伝播できるようにすべき波長に対して適切な透過率を有する材料から形成されるべきである。これは通常、可視光及び近赤外線に対応するが、用途によって明らかに異なるであろう。また、本発明の目的では、透明板は高い熱伝導率を有しているべきである。適切な材料の例は、（合成）サファイアガラス（コランダム又はＡｌ２Ｏ３）であろう。
【００２０】
保護窓１１２は、透明板１１０の上に、近接して配置される。保護窓１１２はまた、フレーム１０２の上かつ弾性プロファイル１０６の上面１１３上にある。保護窓１１２は本質的に透明板１１０と同じ要件を有するが、熱伝導率の代わりに、保護窓は高い耐衝撃性を有するべきである。適切な材料の一例はポリカーボネート樹脂でありうる。
【００２１】
ガスケット１１４及びカバープレート１１６は、保護窓１１２の上に配置され、これにより、窓組立体１００の完全性を確実にすることが可能となる。ガスケット１１４は、保護窓１１２とカバープレート１１６との間にシールを提供し、好ましくは、フレーム１０２に対しても同様にシールを提供するように圧縮中に外向きに拡張し、それにより、複合窓がシール機能並びに保護シールを提供できるようにする。
【００２２】
図３は、本発明の別の実施形態による複合窓を有する監視カメラ組立体１１８の断面図である。図３の実施形態との主な違いは、以前可能性として述べたように、フレーム１０２の機能がカメラハウジング１２０によって提供されていることである。簡単にするために、同様の構成要素には同じ参照番号が用いられる。前の図面に関連して説明されていない図３のさらなる構成要素は、可動（パン及びチルト）のカメラヘッド１２２であり、これには、レンズホルダ１２６内に配置され、かつ、画像を取得するための画像センサを含む関連するセンサＰＣＢ１２８を備えた、レンズアセンブリ１２４が含まれている。組立体は、制御ＰＣＢ１３０と、１３２で示される電源とをさらに備えている。監視カメラの機能は、任意の既存の監視カメラと同じであってよく、それは本発明の一部ではないため、本明細書の文脈内ではこれ以上詳細には説明しない。さらには、監視カメラハウジングは、複合窓が配置されるカバー部分１２０と、カメラヘッド及び電子機器をその上に配置することができるベースプレート１３４とを備えている。本発明の主旨から逸脱することなく、他のカメラ構成を適用することができる。
【００２３】
これより、使用時における複合窓の機能に戻ると、第１の態様は、例えば、その上に生じた氷又は露の除去を目的とした、保護窓の加熱である。十分な衝撃保護は、公共エリアに配置された監視カメラの一般的な要件であり、耐衝撃性と、十分に高い熱伝導率との両方を備えた材料を見つけることは困難である。十分に高い熱伝導率を有する材料は、より脆弱であることが多く、したがって必要とする耐衝撃性に欠けている。「十分に高い」とは、窓の一部に配置された熱源に由来する熱が窓の表面全体に十分に迅速かつ完全に広がることを可能にするのに十分な高さと解釈されるべきである。明らかに、加熱素子をそれらが視界を遮るように配置することは望ましくなく、したがって、通常、それらは窓の周囲に沿って配置される。また、参照される材料は光学部品に適している必要があり、そうでなければ適切な材料を見つける作業は簡単である。また、イメージセンサの過度の加熱（熱が増加すると、基本的には、より悪化する）は、取得した画像のノイズレベルに悪影響を与えるという問題も存在する。
【００２４】
本発明による解決策は、例示された実施形態に提示されている。非効率的であろう加熱素子を保護窓１１２に追加する代わりに、加熱装置１０８が、透明板１１０の透過率を妨げないように、透明板１１０の周縁領域に近接して、好ましくは直接接触して配置される。加熱装置１０８は、例えば、制御ＰＣＢに電気的に接続されたフレキシブルプリント回路（ＦＰＣ）又はラバーヒータでありうる。したがって、熱が印加されると、加熱装置は透明板の周縁領域を加熱し、透明板の特性に起因して、熱は透明板１１０の表面全体に効率的に広がる。このように、熱エネルギーは、分散され、保護窓１１２に近接しており、透明板１１０から保護窓１１２の全領域にわたる保護窓１１２に容易に伝達される。それにより、本発明の第１の効果が達成される。
【００２５】
本発明の第２の効果は複合窓の耐衝撃性に関する。先に述べたように、透明板は脆弱になる傾向があり、したがって衝撃を与える破壊的力に供されるべきではない。保護窓１１２に衝撃があると、透明窓１１０に直接伝達する代わりに、弾性プロファイル１０６の下部が（弾性的に）内側に向かってつぶれ、それによって透明窓１１０が保護窓から離れるように変形し、それによってそれは無傷で衝撃に耐えるであろう。したがって、保護窓が製品の耐衝撃性を決定し、ポリカーボネートはこの目的に非常に適している。透明板と保護窓との間の距離は、基本的に可能な限り短い。直接接触することさえありうるが、画像アーティファクトのリスクがあるため、好ましくはない。したがって、保護窓が下向きに押し付けられると、ある角度で、透明窓に鋭いエッジで接触する傾向がなくなる。むしろ、接触面が存在し、その接触面は、弾性プロファイルがなくなるにつれてさらに増加しうる。全体として、複合窓は破損せずに大きな衝撃に耐えることができ、透明板が保護窓に比べて脆弱な場合であっても、複合窓の耐久性が複合窓の耐久性の制限要因になることがある。
【図１】
2020167672.tif 000003
【図２】
2020167672.tif 000004
【図３】
2020167672.tif 000005
【図４】
2020167672.tif 000006
【外国語明細書】
2020167672000001.pdf
2020167672000002.pdf
2020167672000003.pdf
2020167672000004.pdf